(57)【要約】【課題】プラスチックボトルにおける模様の視認性を高め、また、段差による滑り止めの効果を高める。【解決手段】プラスチックボトル１００は、口部１０と、口部１０から延びた肩部２０と、底部３０と、肩部２０と底部３０とを接続する中間部４０とを含む。中間部４０は、円筒部４２と、円筒部４２と底部３０との間に設けられた模様部４４とを含む。円筒部４２の径は、肩部２０の最大径および底部３０の最大径よりも小さい。模様部４４は、円筒部４２の表面を含む仮想円筒面よりも外側に突出した凸部１０２と、該仮想円筒面よりも内側に窪んだ凹部１０４とを有する。【選択図】図１
2014151914.tif 000002
【特許請求の範囲】
【請求項１】
口部と、前記口部から延びた肩部と、底部と、前記肩部と底部とを接続する中間部とを含むプラスチックボトルであって、
前記中間部は、円筒部と、前記円筒部と前記底部との間に設けられた模様部とを含み、
前記円筒部の径は、前記肩部の最大径および前記底部の最大径よりも小さく、
前記模様部は、前記円筒部の表面を含む仮想円筒面よりも外側に突出した凸部と、前記仮想円筒面よりも内側に窪んだ凹部とを有する、
ことを特徴とするプラスチックボトル。
【請求項２】
炭酸飲料用として構成されている、
ことを特徴とする請求項１に記載のプラスチックボトル。
【請求項３】
前記仮想円筒面に対する前記凹部の深さをＤ、前記プラスチックボトルの高さ方向における前記凹部の幅をＬとすると、Ｄ／Ｌが０．２５以上０．５以下である、
ことを特徴とする請求項１又は２に記載のプラスチックボトル。
【請求項４】
前記凸部および前記凹部は、前記プラスチックボトルの高さ方向にうねる波形模様を構成している、
ことを特徴とする請求項１乃至３のいずれか１項に記載のプラスチックボトル。
【請求項５】
前記凹部は、前記凸部に沿って配置されている、
ことを特徴とする請求項１乃至４のいずれか１項に記載のプラスチックボトル。
【請求項６】
前記凹部は、２つの前記凹部によって前記凸部が挟まれるように配置される、
ことを特徴とする請求項５に記載のプラスチックボトル。
【請求項７】
前記プラスチックボトルの高さ方向における前記凹部の幅は、前記プラスチックボトルの高さ方向における前記凸部の最大幅よりも小さい、
ことを特徴とする請求項１乃至６のいずれか１項に記載のプラスチックボトル。
【請求項８】
前記プラスチックボトルの高さ方向における前記凹部の幅は、前記模様部の全周にわたって一定であり、前記プラスチックボトルの高さ方向における前記凸部の幅は、前記模様部の周方向に沿って増減する、
ことを特徴とする請求項１乃至７のいずれか１項に記載のプラスチックボトル。
【請求項９】
前記模様部の上端は、前記プラスチックボトルの全体の高さの１／２の高さよりも下に位置する、
ことを特徴とする請求項１乃至８のいずれか１項に記載のプラスチックボトル。
【請求項１０】
前記プラスチックボトルの高さ方向における前記円筒部の最大幅は、前記プラスチックボトルの全体の高さの２０パーセント以上３０パーセント以下である、
ことを特徴とする請求項１乃至９のいずれか１項に記載のプラスチックボトル。
【請求項１１】
前記プラスチックボトルの高さ方向における前記模様部の最大幅は、前記プラスチックボトルの全体の高さの１０パーセント以上２０パーセント以下である、
ことを特徴とする請求項１乃至１０のいずれか１項に記載のプラスチックボトル。
【請求項１２】
請求項１乃至１１のいずれか１項に記載のプラスチックボトルと、
前記プラスチックボトルに充填された飲料と、
を含むことを特徴とする物品。
【発明の詳細な説明】
【技術分野】
【０００１】
本発明は、プラスチックボトルおよびそれに飲料が充填された物品に関する。
【背景技術】
【０００２】
特許文献１には、砲弾状の上胴部と、ほぼ円筒状の下胴部とを有し、下胴部に周方向凹ビードが形成されたプラスチックボトルが記載されている。周方向凹ビードは、きらめきや、ゆらぎ感を提供するための模様であり、下胴部の表面を基準として内側に窪んでいる。
【先行技術文献】
【特許文献】
【０００３】
【特許文献１】特開平１０−２９６１４号公報
【発明の概要】
【発明が解決しようとする課題】
【０００４】
特許文献１に記載されたように周方向凹ビードなどの凹部によって模様が構成されたプラスチックボトルに炭酸飲料を充填すると、プラスチックボトル内の圧力によって凹部が外側に押し出され、凹部による段差が小さくなり、凹部が目立たなくなる。逆に、凸部によって模様が構成されたプラスチックボトルに炭酸飲料を充填すると、プラスチックボトル内の圧力によって凸部以外の部分が外側に押し出され、凸部による段差が小さくなり、凸部が目立たなくなる。模様が付された部分の段差の縮小は、段差による滑り止めの効果を低減させることにもなる。
【０００５】
本発明は、上記の課題認識を契機としてなされたものであり、模様の視認性を高めたり、段差による滑り止めの効果を高めたりするために有利な技術を提供することを目的とする。
【課題を解決するための手段】
【０００６】
本発明の第１の側面は、プラスチックボトルに係り、該プラスチックボトルは、口部と、前記口部から延びた肩部と、底部と、前記肩部と底部とを接続する中間部とを含み、前記中間部は、円筒部と、前記円筒部と前記底部との間に設けられた模様部とを含み、前記円筒部の径は、前記肩部の最大径および前記底部の最大径よりも小さく、前記模様部は、前記円筒部の表面を含む仮想円筒面よりも外側に突出した凸部と、前記仮想円筒面よりも内側に窪んだ凹部とを有する。
【０００７】
本発明の第２の側面は、物品に係り、該物品は、第１の側面に係るプラスチックボトルと、前記プラスチックボトルに充填された飲料とを含む。
【発明の効果】
【０００８】
本発明によれば、模様の視認性を高めたり、段差による滑り止めの効果を高めたりするために有利な技術が提供される。
【図面の簡単な説明】
【０００９】
【図１】本発明の好適な実施形態のプラスチックボトルの構造を示す正面図。
【図２】図１の一部分を拡大した図。
【図３】図１の一部分を拡大した図。
【発明を実施するための形態】
【００１０】
以下、添付図面を参照しながら本発明の好適な実施形態を説明する。
【００１１】
図１は、本発明の好適な実施形態のプラスチックボトル１００の構造を示す正面図である。図２は、図１の一部分を拡大した図である。図３は、図２のＡ部分における断面図である。プラスチックボトル１００は、ポリエチレンテレフタレート等のプラスチックで構成される。プラスチックボトル１００は、炭酸飲料用として構成されうるが、炭酸を含有しない飲料が充填されてもよい。
【００１２】
プラスチックボトル１００は、口部１０と、口部１０から延びた肩部２０と、底部３０と、肩部２０と底部３０とを接続する中間部４０とを含む。中間部４０は、円筒部４２と、円筒部４２と底部３０との間（即ち、円筒部４２の下）に設けられた模様部４４とを含む。円筒部４２の径は、肩部２０の最大径および底部３０の最大径よりも小さい。一例において、円筒部４２の径は６２．４ｍｍとされ、肩部２０の最大径および底部３０の最大径は６４．０ｍｍとされる。
【００１３】
模様部４４は、円筒部４２の表面（外側面）４６を含む仮想円筒面ＶＣＳよりも外側に突出した凸部１０２と、仮想円筒面ＶＣＳよりも内側に窪んだ凹部１０４とを有する。円筒部４２の表面４６を含む仮想円筒面ＶＣＳよりも外側に突出した凸部１０２と、仮想円筒面ＶＣＳよりも内側に窪んだ凹部１０４とで模様部４４の模様を構成することによって、模様を構成する段差を大きくすることができる。これは、模様を目立たせて視認性を高めることや、プラスチックボトル１００を把持した際の滑り止めの効果を高めることに寄与する。特に、プラスチックボトル１００に炭酸飲料が充填される場合には、プラスチックボトル１００内の圧力の上昇によって模様を構成する段差が小さくなり易いので、仮想円筒面ＶＣＳを基準とした凸部１０２と凹部１０４とを設けることによる効果が大きい。
【００１４】
凸部１０２および凹部１０４は、プラスチックボトル１００の高さ方向にうねる波形模様を構成しうる。凹部１０４は、凸部１０２に沿って配置されうる。ここで、凹部１０４は、凸部１０２の上側および下側の双方に配置されうる。すなわち、凹部１０４は、２つの凹部１０４によって凸部１０２が挟まれるように配置されうる。これは、凸部１０２の輪郭を際立たせることに寄与する。プラスチックボトル１００の高さ方向における凹部１０４の幅は、プラスチックボトル１００の高さ方向における凸部１０２の最大幅よりも小さくされうる。これは、凹部１０４の変形量を凸部１０２の変形量よりも小さくし、凹部１０４が凸部１０２の輪郭を際立たせることに寄与する。プラスチックボトル１００の高さ方向における凹部１０４の幅は、模様部４４の全周にわたって一定であり、プラスチックボトル１００の高さ方向における凸部１０２の幅は、模様部４４の周方向に沿って増減しうる。
【００１５】
図３に示されるように仮想円筒面ＶＣＳに対する凹部１０４の深さをＤ、プラスチックボトル１００の高さ方向における凹部１０４の幅をＬとすると、Ｄ／Ｌが０．２５以上０．５以下であることが好ましい。Ｄ／Ｌが０．２５よりも小さいと炭酸飲料が充填された場合における変形が大きくなるので、模様の視認性を高める効果や、プラスチックボトル１００を把持した際の滑り止めの効果が小さくなりうる。一方、Ｄ／Ｌが０．５より大きいと、製造が難しくなる。なお、図３には、模様部４４の表面（外側面）４４１と内側面４４２とが示されている。凹部１０４の深さＤは、仮想円筒面ＶＣＳからの模様部４４の表面４４１の深さとして定義され、凹部１０４の幅Ｌは、凹部１０４が存在する部分の、仮想円筒面ＶＣＳにおける幅として定義される。
【００１６】
仮想基準面ＶＣＳに対する凸部１０２の最大突出量Ｐは、仮想基準面ＶＣＳに対する凸部１０２あるいは模様部４４の表面４４１の最大突出量として定義される。凸部１０２の最大突出量Ｐは、例えば、凹部１０４の深さＤよりも小さく設定されうる。一例において、Ｄ＝０．３ｍｍ、Ｌ＝１．１ｍｍ、Ｐ＝０．５ｍｍである。
【００１７】
模様部４４の上端ＵＥは、プラスチックボトル１００の全体の高さＨの１／２の高さよりも下に位置しうる。これは、肩部２０、円筒部４２および模様部４４のうち肩部２０および円筒部４２をシュリンクラベルで覆い、模様部４４を露出させる形態に適合しうる。プラスチックボトル１００の高さ方向における円筒部４２の最大幅Ｗ４２は、例えば、プラスチックボトル１００の全体の高さＨの２０パーセント以上３０パーセント以下でありうる。プラスチックボトル１００の高さ方向における模様部４４の最大幅Ｗ４４は、例えば、プラスチックボトル１００の全体の高さＨの１０パーセント以上２０パーセント以下でありうる。
【００１８】
本発明の好適な実施形態の物品は、プラスチックボトル１００と、それに充填された炭酸飲料などの飲料とを含んで構成される。該物品は、口部１０がキャップでシールされる。また、該物品には、シュリンクラベルが付されうる。プラスチックボトル１００は、典型的には、炭酸飲料が充填された状態においても、仮想円筒面ＶＣＳよりも外側に突出した凸部１０２および仮想円筒面ＶＣＳよりも内側に窪んだ凹部１０４を有しうる。
【符号の説明】
【００１９】
１０  口部
２０  肩部
３０  底部
４０  中間部
４２  円筒部
４４  模様部
４６  円筒部の表面（外側面）
１００  プラスチックボトル
１０２  凸部
１０４  凹部
【図１】
2014151914.tif 000003
【図２】
2014151914.tif 000004
【図３】
2014151914.tif 000005